(57)【要約】【課題】カメラの使用状況に基づく観察光学系の視度調節を自動で行うカメラを得る。【解決手段】カメラは、観察光学系３００の視度を調節する視度調節手段３１０と、視度調節手段３１０を駆動する駆動手段５０１と、記憶手段１６に記憶されている視度情報を取得し、その取得した視度情報をカメラの使用状況に応じて加工する加工手段１６と、加工手段１６による加工後の視度情報を用いて視度調節手段３１０を駆動するように駆動手段５０１を制御する制御手段１６とを備える。【選択図】図３
2008164765.tif 000002
【特許請求の範囲】
【請求項１】
観察光学系の視度を調節する視度調節手段と、
前記視度調節手段を駆動する駆動手段と、
記憶手段に記憶されている視度情報を取得し、その取得した視度情報をカメラの使用状況に応じて加工する加工手段と、
前記加工手段による加工後の視度情報を用いて前記視度調節手段を駆動するように前記駆動手段を制御する制御手段とを備えることを特徴とするカメラ。
【請求項２】
請求項１に記載のカメラにおいて、
外部機器と通信する通信手段をさらに備え、
前記加工手段は、所定の条件が満たされた時に前記通信手段を介して前記視度情報を前記外部機器から取得することを特徴とするカメラ。
【請求項３】
請求項２に記載のカメラにおいて、
前記所定の条件は、前回の前記通信から所定時間が経過した場合、または前記カメラの使用回数に関する情報が所定値を超えた場合、またはカメラ内部の記憶手段内に前記視度情報が存在しない場合を含むことを特徴とするカメラ。
【請求項４】
請求項３に記載のカメラにおいて、
前記カメラの使用回数に関する情報は、前記視度調節手段の使用回数を含むことを特徴とするカメラ。
【請求項５】
請求項２〜４のいずれか一項に記載のカメラにおいて、
前記加工手段はさらに、前記外部機器から前記加工に必要な情報を取得することを特徴とするカメラ。
【請求項６】
請求項５に記載のカメラにおいて、
前記視度調節手段は、電圧に応じて焦点距離を変化させる光学素子を有し、
前記制御手段は、前記加工後の視度情報に応じた電圧を前記光学素子へ印加させることを特徴とするカメラ。
【請求項７】
請求項６に記載のカメラにおいて、
前記視度情報は、(1)視度値、(2)使用者の視力値ならびに年齢、および(3)前記光学素子へ供給する電圧値のうちの少なくとも一つを含むことを特徴とするカメラ。
【請求項８】
請求項６または７に記載のカメラにおいて、
前記光学素子は液体レンズであり、
前記加工に必要な情報は、前記液体レンズの環境補正係数情報であることを特徴とするカメラ。
【請求項９】
請求項８に記載のカメラにおいて、
前記加工手段は、カメラ製造後の経過時間が所定時間に達する場合、レリーズ回数が所定回数に達する場合、前記視度調節手段の視度調節回数が所定回数に達する場合、およびカメラの起動回数が所定回数に達する場合の少なくとも１つが成立する場合に前記環境補正係数情報を前記外部機器と前記通信手段を介して通信することにより更新することを特徴とするカメラ。
【請求項１０】
請求項８または９に記載のカメラにおいて、
前記光学素子および／またはその近傍の環境情報を検出する環境情報検出手段をさらに備え、
前記加工手段は、前記環境情報検出手段で検出された環境情報および前記環境補正係数を用いて前記視度情報を加工することを特徴とするカメラ。
【請求項１１】
請求項１０に記載のカメラにおいて、
前記環境情報は温度を含み、
前記加工手段は、前記温度情報および前記環境補正係数を用いて前記視度情報を加工することを特徴とするカメラ。
【請求項１２】
請求項１〜１１のいずれか一項に記載のカメラにおいて、
前記視度調節手段は、第１液体材料と該第１液体材料と屈折率が異なり、かつ該第１液体材料と混合しない第２液体材料とを容器内に封入し、前記第１液体材料および前記第２液体材料へ加える電圧を変化させることによって前記第１液体材料および前記第２液体材料の境界面形状を変化させる可変焦点距離部材を含むことを特徴とするカメラ。
【請求項１３】
観察光学系の視度を調節する視度調節手段と、
前記視度調節手段を駆動する駆動手段と、
記憶手段に記憶されている視度情報を取得し、その取得した視度情報を光学装置の使用状況に応じて加工する加工手段と、
前記加工手段による加工後の視度情報を用いて前記視度調節手段を駆動するように前記駆動手段を制御する制御手段とを備えることを特徴とする光学装置。
【請求項１４】
請求項１３に記載の光学装置において、
前記視度調節手段は、第１液体材料と該第１液体材料と屈折率が異なり、かつ該第１液体材料と混合しない第２液体材料とを容器内に封入し、前記第１液体材料および前記第２液体材料へ加える電圧を変化させることによって前記第１液体材料および前記第２液体材料の境界面形状を変化させる可変焦点距離部材を含むことを特徴とする光学装置。
【発明の詳細な説明】
【技術分野】
【０００１】
本発明は、観察光学系の視度を調節する光学装置や、ファインダーの視度を調節するカメラに関する。
【背景技術】
【０００２】
視度調節スイッチを操作することによって、カメラなどのファインダー視度を調節する技術が知られている（特許文献１参照）。特許文献２には、温度に応じた視度制御を行う技術が開示されている。特許文献３には、外部機器との通信によってユーザの個人情報を取得して特定ユーザ用にカメラをセットアップする技術が開示されている。
【０００３】
【特許文献１】特開２００２−６２００号公報
【特許文献２】特開２００１−２４９２０３号公報
【特許文献３】特開２００３−１６９２４７号公報
【発明の開示】
【発明が解決しようとする課題】
【０００４】
従来の技術では、観察光学系（ファインダー）の視度調節は煩わしいものであった。
【課題を解決するための手段】
【０００５】
（１）本発明によるカメラは、観察光学系の視度を調節する視度調節手段と、視度調節手段を駆動する駆動手段と、記憶手段に記憶されている視度情報を取得し、その取得した視度情報をカメラの使用状況に応じて加工する加工手段と、加工手段による加工後の視度情報を用いて視度調節手段を駆動するように駆動手段を制御する制御手段とを備えることを特徴とする。
（２）請求項１に記載のカメラはさらに、外部機器と通信する通信手段を備えてもよい。この場合の加工手段は、所定の条件が満たされた時に通信手段を介して視度情報を外部機器から取得することが好ましい。
（３）請求項２に記載のカメラにおいて、所定の条件は、前回の通信から所定時間が経過した場合、またはカメラの使用回数に関する情報が所定値を超えた場合、またはカメラ内部の記憶手段内に視度情報が存在しない場合を含むことが好ましい。
（４）請求項３に記載のカメラにおいて、カメラの使用回数に関する情報は、視度調節手段の使用回数を含むことが好ましい。
（５）請求項２〜４のいずれか一項に記載のカメラにおいて、加工手段はさらに、外部機器から加工に必要な情報を取得することが好ましい。
（６）請求項５に記載のカメラにおいて、視度調節手段は、電圧に応じて焦点距離を変化させる光学素子を有し、制御手段は、加工後の視度情報に応じた電圧を光学素子へ印加させることが好ましい。
（７）請求項６に記載のカメラにおいて、視度情報は、(1)視度値、(2)使用者の視力値ならびに年齢、および(3)光学素子へ供給する電圧値のうちの少なくとも一つを含むことが好ましい。
（８）請求項６または７に記載のカメラにおいて、光学素子は液体レンズであり、加工に必要な情報は、液体レンズの環境補正係数情報であることが好ましい。
（９）請求項８に記載のカメラにおいて、加工手段は、カメラ製造後の経過時間が所定時間に達する場合、レリーズ回数が所定回数に達する場合、視度調節手段の視度調節回数が所定回数に達する場合、およびカメラの起動回数が所定回数に達する場合の少なくとも１つが成立する場合に環境補正係数情報を外部機器と通信手段を介して通信することにより更新することが好ましい。
（１０）請求項８または９に記載のカメラはさらに、光学素子および／またはその近傍の環境情報を検出する環境情報検出手段を備えてもよい。この場合の加工手段は、環境情報検出手段で検出された環境情報および環境補正係数を用いて視度情報を加工することが好ましい。
（１１）請求項１０に記載のカメラにおいて、環境情報は温度を含み、加工手段は、温度情報および環境補正係数を用いて視度情報を加工することが好ましい。
（１２）請求項１〜１１のいずれか一項に記載のカメラにおいて、視度調節手段は、第１液体材料と該第１液体材料と屈折率が異なり、かつ該第１液体材料と混合しない第２液体材料とを容器内に封入し、第１液体材料および第２液体材料へ加える電圧を変化させることによって第１液体材料および第２液体材料の境界面形状を変化させる可変焦点距離部材を含むことが好ましい。
（１３）本発明による光学装置は、観察光学系の視度を調節する視度調節手段と、視度調節手段を駆動する駆動手段と、記憶手段に記憶されている視度情報を取得し、その取得した視度情報を光学装置の使用状況に応じて加工する加工手段と、加工手段による加工後の視度情報を用いて視度調節手段を駆動するように駆動手段を制御する制御手段とを備えることを特徴とする。
（１４）請求項１３に記載の光学装置において、視度調節手段は、第１液体材料と該第１液体材料と屈折率が異なり、かつ該第１液体材料と混合しない第２液体材料とを容器内に封入し、第１液体材料および第２液体材料へ加える電圧を変化させることによって第１液体材料および第２液体材料の境界面形状を変化させる可変焦点距離部材を含むことが好ましい。
【発明の効果】
【０００６】
本発明によるカメラでは、カメラの使用状況に基づく観察光学系の視度調節を自動で行うことができる。
また、他の発明による光学装置では、使用状況に基づく観察光学系の視度調節を自動で行うことができる。
【発明を実施するための最良の形態】
【０００７】
以下、図面を参照して本発明を実施するための最良の形態について説明する。
（第一の実施形態）
図１は、本発明の第一の実施形態による電子カメラの正面図である。図１において電子カメラ１は、レリーズスイッチ３と、メインスイッチ４と、ファインダー対物窓５と、フラッシュ発光窓６と、アンテナ７と、レンズ鏡筒８とを有する。
【０００８】
図２は、図１の電子カメラ１の背面図である。図２において電子カメラ１は、表示部９と、ファインダー接眼窓１０と、ズームスイッチ１１と、メニュースイッチ１２と、モードダイヤル１３と、十字キー１４と、決定スイッチ１５とを有する。
【０００９】
図３は、電子カメラの要部構成を説明するブロック図である。ＣＰＵ１６は、後述する各ブロックから出力される信号を入力して所定の演算を行い、演算結果に基づく制御信号を各ブロックへ出力する。ＣＰＵ１６が実行するプログラムは、ＣＰＵ１６内の不揮発性メモリ（不図示）に格納されている。
【００１０】
撮影光学系４００はレンズ鏡筒８内に構成され、被写体像を撮像素子４０１の撮像面上に結像させる。撮像素子４０１は、ＣＣＤイメージセンサなどによって構成される。撮像素子４０１は、撮像面上の被写体像を撮像して撮像信号を出力する。Ａ／Ｄ変換回路４０２は、不図示の信号処理回路によってアナログ処理（ゲインコントロールなど）された後の撮像信号をディジタル信号に変換する。
【００１１】
ＣＰＵ１６は画像処理部を含み、ディジタル変換後の画像データにホワイトバランス処理などの画像処理を行う他、画像処理後の画像データを所定の形式で圧縮する圧縮処理、圧縮された画像データを伸長する伸長処理などを行う。メモリ１７はＣＰＵ１６による作業用メモリとして使用される他、表示部９に表示されるデータを格納する表示用メモリ(VRAM)として使用される。また、ＣＰＵ１６は、ＣＦカードやＳＤカードのような外部メモリ１７Ｂに画像データの書き込み（保存処理）を行ったりする。
【００１２】
焦点検出部２０は、測距素子（不図示）による検出信号を用いて撮影光学系４００による焦点調節状態を検出し、検出結果に応じて撮影光学系４００を構成するフォーカスレンズの移動量を算出する。なお、測距素子を用いずに、撮像素子４０１による撮像データからコントラストを検出する方式によって、合焦するフォーカスレンズ位置を求めるように構成してもよい。フォーカスレンズの移動量を示す信号は、ＣＰＵ１６を介してフォーカス駆動部１９へ送出される。フォーカス駆動部１９は、フォーカスレンズを光軸方向に進退移動させてフォーカス調節を行う。
【００１３】
ズーム駆動部２１は、ＣＰＵ１６からの指示に応じて撮影光学系４００を構成するズームレンズを光軸方向に進退移動させて倍率を変更する。連動ギヤ部２２は、撮影光学系４００の倍率変更と同期させて観察光学系（ファインダー）３００の倍率を変更する。
【００１４】
観察光学系３００はレンズ群３０１、レンズ群３０２、レンズ群３０３、視野枠３０４、および可変焦点部材３１０を含む接眼レンズ群３１２を有する。電子カメラのユーザは、ファインダー接眼窓１０（図２）を介して被写体を観察する。上述した連動ギヤ部２２によってレンズ群３０１およびレンズ群３０２が光軸方向に進退移動されると、観察光学系３００の倍率が変更される。
【００１５】
可変焦点部材３１０は、いわゆる液体レンズによって構成される。この液体レンズ３１０は、互いに異なる屈折率を有するものであり、かつ互いに混合することのない２種類の液体３１０Ａ、３１０Ｂが容器内に封入されたものである。この液体レンズ３１０に電圧を加えると、その印加される電圧に応じて２種類の液体の境界面形状が変化する。この変化により焦点距離が変化する。なお、液体の一実施形態としては、一方の液体を導電性の塩化リチウム水溶液を使用し、他方の液体３１０Ｂとして絶縁性のシリコンオイルを使用する。本実施形態では、両液体３１０Ａ、３１０Ｂは同じ密度をもつものを使用するが、本発明はこれに限定するものではない。また、液体３１０Ａ、３１０Ｂの順序（光軸方向における配列順序）もこれに限られるものではない。このような構成で、可変焦点部材３１０は、給電部５０１から印加される電圧に応じて焦点距離を変え、観察光学系３００の視度を調節する。給電部５０１は可変ＤＣ／ＤＣ変換回路を含み、ＣＰＵ１６からの指示に応じた電圧を可変焦点部材３１０へ印加する。電源５０２は電池によって構成され、給電部５０１およびＣＰＵ１６を含むカメラ内各部へ電力を供給する。温度センサ３１１は、可変焦点部材３１０の温度を検出し、温度検出信号をＣＰＵ１６へ送出する。なお、温度センサ３１１を可変焦点部材３１０に密着するように配設してもよいし、温度センサ３１１を可変焦点部材３１０の近傍に配設し、可変焦点部材３１０の周囲温度を検出する構成としてもよい。マイク１８は、入力された音声を電気信号に変換してＣＰＵ１６へ送出する。
【００１６】
レリーズスイッチ３、メインスイッチ４、ズームスイッチ１１、モードダイヤル１３、十字キー１４、メニュースイッチ１２、および決定スイッチ１５は操作部材を構成する。各スイッチおよびダイヤルは、それぞれの設定操作に応じた操作信号を発生してＣＰＵ１６へ送出する。表示部９はカラー液晶表示パネルによって構成され、ＣＰＵ１６からの指示に応じて撮影画像や操作メニュー（撮影機能や撮影条件などの設定／変更を行うための操作メニュー）、電子カメラに設定されている情報などを表示する。
【００１７】
アンテナ７に電気的に接続している通信部２３は、ＣＰＵ１６からの指示によって電子カメラと無線接続されている外部機器２００との間で通信を行う。電子カメラおよび外部機器２００間の通信では、たとえば外部データサーバー２５１側のデータベース２５２に登録されているメンテナンス情報やデータ等が電子カメラへ送信される一方、カメラＩＤ情報やメンテナンス情報等が電子カメラから外部データサーバー２５１へ送信される。アンテナ７は無線通信の送受信に使用される。無線ＬＡＮアクセスポイント２０１、インターネット２１０、外部データサーバー２５１、およびデータベース２５２は外部機器２００を構成する。
【００１８】
本実施形態の電子カメラは、観察光学系（ファインダー）３００の視度調節に特徴を有するので、この点を中心に図４〜図８のフローチャートを参照して説明する。図４は、電子カメラのＣＰＵ１６が実行するメイン処理の流れを説明するフローチャートである。ＣＰＵ１６は、電池５０２が電源としてカメラに装填されると図４の処理を起動する。
【００１９】
＜メイン処理＞
図４のステップＳ１１において、ＣＰＵ１６は電源オン操作されたか否かを判定する。ＣＰＵ１６は、メインスイッチ４からオン操作信号が入力された場合にステップＳ１１を肯定判定してステップＳ１２へ進み、所定の電源オン処理を行う。ＣＰＵ１６は、オン操作信号が入力されない場合にはステップＳ１１を否定判定し、当該判定処理を繰り返す。
【００２０】
ステップＳ１２において、ＣＰＵ１６は、無操作タイマーをリセットおよびスタートさせてステップＳ１３へ進む。これにより、電子カメラに対する操作が行われない状態で所定時間（たとえば３０秒）を計時すると、ＣＰＵ１６の内蔵タイマーがタイムアップ信号を発する。
【００２１】
ステップＳ１３において、ＣＰＵ１６は初期設定処理を行ってステップＳ１４へ進む。初期設定処理の詳細については後述する。ステップＳ１４において、ＣＰＵ１６はメニュー操作が選択されたか否かを判定する。ＣＰＵ１６は、メニュースイッチ１２の押下操作を示す信号が入力されるとステップＳ１４を肯定判定し、ステップＳ１５のメニューモードへ進む。ＣＰＵ１６は、メニュースイッチ１２の押下を示す操作信号が入力されない場合にはステップＳ１４を否定判定し、ステップＳ１６へ進む。
【００２２】
ステップＳ１５において、ＣＰＵ１６はセットアップメニュー表示処理を行ってステップＳ２３へ進む。セットアップメニュー表示処理の詳細については後述する。ステップＳ２３において、ＣＰＵ１６は温度フィードバック処理を行ってステップＳ２４へ進む。温度フィードバック処理の詳細については後述する。
【００２３】
ステップＳ２４において、ＣＰＵ１６は、電源オフ操作の受付を許可してステップＳ２５へ進む。電子カメラは、各モード（メニューモード、撮影モード、および再生モード）における動作開始後は、電源オフ操作受付可を実行してから電源オフ操作を受付けるように構成されている。
【００２４】
ステップＳ２５において、ＣＰＵ１６は無操作タイムアップか否かを判定する。ＣＰＵ１６は、無操作タイマーがタイムアップ信号を発した場合はステップＳ２５を肯定判定してステップＳ２６へ進む。メインスイッチ４からオフ操作信号が入力された場合も同様とする。ＣＰＵ１６は、各操作スイッチまたは操作ボタン操作を示す信号が入力されるとステップＳ２５を否定判定してステップＳ２８へ進む。ステップＳ２８において、ＣＰＵ１６は、無操作タイマーをリセットしてステップＳ１４へ戻る。
【００２５】
ステップＳ２６において、ＣＰＵ１６は後述する視度情報（ｘ）、電圧情報（Ｖ）および温度情報（ｔ）をＣＰＵ１６内の不揮発性メモリ（不図示）へそれぞれ記憶させてステップＳ２７へ進む。視度情報は、観察光学系（ファインダー）３００に設定されている視度値を示す。電圧情報は、所望の視度値に視度調節するために必要な電圧値であり、可変焦点部材３１０に印加する電圧値を示す。温度情報は、温度センサ３１１で検出された可変焦点部材３１０の温度を示す。ステップＳ２７において、ＣＰＵ１６は所定の電源オフ処理を行ってステップＳ１１へ戻る。
【００２６】
ステップＳ１４を否定判定して進むステップＳ１６において、ＣＰＵ１６は再生指示されたか否かを判定する。ＣＰＵ１６は、モードダイヤル１３から、撮影済みの画像を表示部９上に、あるいは外部接続されているモニタ上に再生表示を行う再生モードへの切換設定を示す操作信号が入力されている場合にステップＳ１６を肯定判定し、ステップＳ２０の再生モードへ進む。ＣＰＵ１６は、モードダイヤル１３から、被写体を撮影して外部メモリ１７Ｂに記録する撮影モードへの切換設定を示す操作信号が入力されている場合にステップＳ１６を否定判定し、ステップＳ１７の撮影モードへ進む。
【００２７】
ステップＳ１７において、ＣＰＵ１６は、撮影モード初期値設定を行ってステップＳ１８へ進む。具体的には、撮影処理に必要なフラグやパラメータ類をセットする。ステップＳ１８において、ＣＰＵ１６は撮影モード選択の受付を許可してステップＳ１９へ進む。これにより、電子カメラは撮影モードに切替わる。ステップＳ１９において、ＣＰＵ１６は、撮影操作の受付を許可してステップＳ２３へ進む。これにより、ＣＰＵ１６は、撮影が指示（レリーズスイッチ３から操作信号が入力）されると所定の撮影処理を実行する。
【００２８】
ステップＳ２０において、ＣＰＵ１６は、再生モード初期値設定を行ってステップＳ２１へ進む。具体的には、再生処理に必要なフラグやパラメータ類をセットする。ステップＳ２１において、ＣＰＵ１６は再生モード選択の受付を許可してステップＳ２２へ進む。これにより、電子カメラは再生モードに切替わる。ステップＳ２２において、ＣＰＵ１６は、再生操作の受付を許可してステップＳ２３へ進む。これにより、ＣＰＵ１６は、再生が指示されると所定の再生処理を実行する。
【００２９】
＜初期設定処理＞
図５は、前述の図４のステップＳ１３における初期設定処理の詳細を説明するフローチャートである。図５のステップＳ１３１において、ＣＰＵ１６は電子カメラ各部の初期設定を行ってステップＳ１３２へ進む。ステップＳ１３２において、ＣＰＵ１６はファインダーの給電部５０１を起動させてステップＳ１３３へ進む。ステップＳ１３３において、ＣＰＵ１６は、後述する手順によってＣＰＵ１６内の不揮発性メモリ（不図示）に記憶している視度情報（ｘ）、および電圧情報（Ｖ）をそれぞれ読出してステップＳ１３４へ進む。
【００３０】
ステップＳ１３４において、ＣＰＵ１６は可変焦点部材３１０の温度計測を行う。具体的には、温度センサ３１１から温度検出信号を入力してステップＳ１３５へ進む。ステップＳ１３５において、ＣＰＵ１６は、ステップＳ１３３で読出した視度値ｘに応じた焦点距離を再現するように可変焦点部材３１０に対する印加電圧を決定する。具体的には、ステップＳ１３４で計測した温度情報を加味して、この温度によって生じる可変焦点部材３１０の焦点距離の変動を抑制するようにステップＳ１３３で読出した電圧値を増減する。なお、温度に起因する焦点距離ずれを補償するための情報、すなわち、後述するａ０、ａ１、ｂ０、ｂ１、ａ０'、ａ１'、ｂ０'、ｂ１'は、あらかじめＣＰＵ１６内の不揮発性メモリに格納されている。なお、定数ａ０、ａ１、ａ０'、ａ１'は初期電圧［Ｖ］であり、ａ１、ｂ１、ａ１'、ｂ１'は換算係数［Ｖ／℃］である。
【００３１】
このステップＳ１３５において、ＣＰＵ１６は、次式（１）を用いて可変焦点部材３１０へ印加する電圧値Ｖ［Ｖ］を算出する。
Ｖ＝Ｖ０＋Ｖ１×ｘ                                  （１）
ここで、上式（１）で用いられるＶ０［Ｖ］およびＶ１［Ｖ］は、上記ステップＳ１３４で計測した温度ｔ［℃］に応じて以下のように求め方が異なるものである。まず計測した温度ｔが温度ｔ＜０の場合には、Ｖ０およびＶ１は、それぞれ次式（２）および（３）で算出される。なお、ｘは視度値である。
Ｖ０＝ａ０＋ａ１×ｔ                                （２）
Ｖ１＝ｂ０＋ｂ１×ｔ                                （３）
一方、計測した温度ｔが温度ｔ≧０の場合のＶ０およびＶ１は、それぞれ次式（４）および（５）で算出される。
Ｖ０＝ａ０'＋ａ１'×ｔ                              （４）
Ｖ１＝ｂ０'＋ｂ１'×ｔ                              （５）
【００３２】
ステップＳ１３６において、ＣＰＵ１６は電源部５０１へ指示を送り、可変焦点部材３１０へ電圧を印加させてステップＳ１３７へ進む。つまり、このステップＳ１３６において、ＣＰＵ１６の不揮発性メモリに記憶されており、ステップＳ１３３でこのメモリから読み出された視度情報に基づいた視度設定がなされることになる。ステップＳ１３７において、ＣＰＵ１６は、視度情報（ｘ）、および電圧情報（Ｖ）をＣＰＵ１６内の不揮発性メモリ（不図示）へそれぞれ記憶させて図５による処理を終了する。ＣＰＵ１６は、後述するファインダー視度設定が行われない場合は、可変焦点部材３１０へ印加する電圧を維持させる。なお、上記実施形態では、ステップＳ１３４で実測した温度ｔそのものを用いて印加電圧を決定するようにしたが、本発明はこれに限られるものではない。たとえば、ステップＳ１３７で、ステップＳ１３４で得た温度情報も記憶するようにしておき、次に図５のフローチャートを実行する際には、ステップＳ１３３で、この記憶した温度情報も読み出すようにする。そして、この読み出した温度とこれから（Ｓ１３４で）計測される温度との間の差分（温度差Δｔ）を使って、印加電圧を算出するようにしてもよい。
【００３３】
＜セットアップメニュー表示処理＞
図６は、図４のステップＳ１５におけるセットアップメニュー表示処理の詳細を説明するフローチャートである。図６のステップＳ１０１において、ＣＰＵ１６は選択メニューが「ファインダー視度設定」か否かを判定する。ＣＰＵ１６は、図９に例示するメニュー画面を表示部９に表示させた状態で「ファインダー視度設定」を選択指示する操作信号が十字キー１４から入力され、かつ決定スイッチ１５で「ファインダー視度設定」の選択決定を指示する操作信号が入力されると、ステップＳ１０１を肯定判定してステップＳ１０２へ進む。ＣＰＵ１６は、「ファインダー視度設定」を指示する操作信号が入力されない場合にはステップＳ１０１を否定判定してステップＳ１０７へ進む。ステップＳ１０７へ進む場合は、ステップＳ１０７において他のメニュー処理を行って図６による処理を終了する。
【００３４】
ステップＳ１０２において、ＣＰＵ１６は選択メニューが「視度入力」か否かを判定する。ＣＰＵ１６は、図１０に例示するメニュー画面を表示部９に表示させた状態で「視度入力」を選択指示する操作信号が十字キー１４から入力され、かつ決定スイッチ１５で「視度入力」のモードへの決定を指示する操作信号が入力されると、ステップＳ１０２を肯定判定してステップＳ１０４へ進む。つまり、十字キー１４および決定スイッチ１５は、カメラのモードを「視度設定」というモードに切換設定する操作部材としての機能を果たすものである。ＣＰＵ１６は、「視度入力」を指示する操作信号が十字キー１４および決定スイッチ１５から入力されない場合にはステップＳ１０２を否定判定してステップＳ１０３へ進む。
【００３５】
ステップＳ１０４において、ＣＰＵ１６は、近視または遠視の視度入力処理を行ってステップＳ１０８へ進む。具体的には、図１１に例示する視度入力画面を表示部９に表示させた状態で、現在設定されている視度値ｘ（単位ｍ−１）を、十字キー１４から入力される操作信号に応じて変更する。そのためにまずＣＰＵ１６は、上述の十字キー１４および決定スイッチ１５による「視度入力」モードへのモード切換操作に応じて十字キー１４の機能を視度調節用に切替えておく。その上で、十字キー１４から右向き操作信号が入力された場合にその操作に応じて視度値ｘを所定ステップ（たとえば０．２５ステップ）ずつ＋方向（強方向）へ変更し、十字キー１４から左向き操作信号が入力された場合には視度値ｘを所定ステップずつ−方向（弱方向）へ変更する。また、ＣＰＵ１６は、十字キー１４から上向き操作信号が入力された場合は変更対象として「近視」を選び、十字キー１４から下向き操作信号が入力された場合は変更対象として「遠視」を選ぶ。なお、この所定ステップ数は０．２５ずつに限られるものではなく、任意のステップ数ずつ（たとえば０．５ステップ）で変化するものであってもよい。
【００３６】
ステップＳ１０３において、ＣＰＵ１６は選択メニューが「視度かんたん入力」か否かを判定する。ＣＰＵ１６は、図１０に例示するメニュー画面を表示部９に表示させた状態で「視度かんたん入力」を選択指示する操作信号が十字キー１４から入力され、かつそれを決定指示する操作信号が決定スイッチ１５から入力されると、ステップＳ１０３を肯定判定してステップＳ１０５へ進む。つまり、この場合の十字キー１４および決定スイッチ１５は、カメラのモードを「視度かんたん入力」というモードに切換設定する操作部材としての機能を果たすものである。ＣＰＵ１６は、「視度かんたん入力」を指示する操作信号が入力されない場合にはステップＳ１０３を否定判定してステップＳ１０３Ａへ進む。なお、ＣＰＵ１６は、図１０に例示するメニュー画面を表示部９に表示させた状態で「視度測定」を選択し、それを決定する操作信号が十字キー１４および決定スイッチ１５から入力されると、ステップＳ１０３Ａを肯定判定してステップＳ１０６へ進み、否定判定した場合にはステップＳ１１９へ進む。ステップＳ１０６の処理およびステップＳ１１９の処理については後述する。
【００３７】
ステップＳ１０５において、ＣＰＵ１６は、視度かんたん入力処理を行ってステップＳ１０８へ進む。具体的には、図１２に例示する視度かんたん入力画面を表示部９に表示させた状態で、十字キー１４からの操作信号が示す年齢、および近視または遠視の視力に基づいて、現在設定されている視度値ｘを変更する。そのためにまずＣＰＵ１６は、上述の十字キー１４および決定スイッチ１５による「視度かんたん入力」モードへのモード切換操作操作に応じて十字キー１４の機能を視度調節用に切替えておく。その上で、十字キー１４から右向き操作信号が入力された場合にバー表示（図１２のバー表示における黒い矩形表示部分）を右方向へ移動し、十字キー１４から左向き操作信号が入力された場合にはバー表示を左方向へ移動する。また、ＣＰＵ１６は、十字キー１４から上向き操作信号が入力された場合は変更対象を上側の項目（図１２の場合であれば「年齢」の項目）に変更し、十字キー１４から下向き操作信号が入力された場合には変更対象を下側の項目（図１２の場合であれば「遠視」の項目）に変更する。
【００３８】
さらにステップＳ１０５において、ＣＰＵ１６は、入力された年齢および視力に基づき、以下のように視度値ｘを算出する。
（１）近視で視力値１．０未満の場合は、年齢にかかわらず次式（６）を用いて算出する。
ｘ＝２．２×log１０ｙ−１                             （６）
ただし、ｙは視力値であり、図１２中で０．５未満の領域の視力が選択されている場合にはｙ＝０．１を、０．５〜１．０の領域の視力が選択されている場合にはｙ＝０．５を入力する。
（２）視力値が１．０以上の場合は、近視および遠視ともに年齢にかかわらず視度値ｘ＝−１とする。
（３）遠視で視力値１．０未満の場合は、年齢に応じて次式（７）〜次式（９）のいずれかを用いて算出する。年齢が２０歳未満の場合は次式（７）を使用する。
ｘ＝−５．９×log１０ｙ＋１．１                       （７）
ただし、ｙは視力値であり、図１２中で０．５未満の領域の視力が選択されている場合にはｙ＝０．４を入力し、０．５〜１．０の領域の視力が選択されている場合にはｙ＝０．９を入力する。
一方、年齢が２０歳以上４０歳未満の場合は次式（８）を使用する。
ｘ＝−２．２×log１０ｙ＋０．１                       （８）
ただし、ｙは視力値であり、図１２中で０．５未満の領域の視力が選択されている場合にはｙ＝０．５を入力し、０．５〜１．０の領域の視力が選択されている場合にはｙ＝１．０を入力する。
年齢が４０歳以上の場合には次式（９）を使用する。
ｘ＝−４．７×log１０ｙ＋０．６                       （９）
ただし、ｙは視力値であり、図１２中で０．５未満の領域の視力が選択されている場合にはｙ＝０．４を入力し、０．５〜１．０の領域の視力が選択されている場合にはｙ＝０．９を入力する。なお、上述の「視度かんたん入力」モードにおいてはおおまかに視力を入力（設定）するようにしているが、視力を数値で入力できるようにしてもよい。この場合には、その入力された数値が上記各式のｙに代入されて視度ｘが算出されることになる。
【００３９】
一方、ステップＳ１０６において、ＣＰＵ１６は視度測定処理を行ってステップＳ１１５へ進む。この視度測定処理の詳細については後述する。
【００４０】
ステップＳ１０８において、ＣＰＵ１６はステップＳ１０４で入力またはステップＳ１０５で算出された視度値に対して視度値決定が指示されたか否かを判定する。ＣＰＵ１６は、決定スイッチ１５の押下操作を示す信号が入力されるとステップＳ１０８を肯定判定してステップＳ１０９へ進む。ＣＰＵ１６は、決定スイッチ１５の押下操作を示す信号が入力されない場合にはステップＳ１０８を否定判定し、ステップＳ１１９へ進む。ステップＳ１１９へ進む場合、メニュースイッチ１２の押下操作を示す操作信号が入力されると図６による処理を終了する。なお、ＣＰＵ１６は、ステップＳ１０９またはステップＳ１１９へ進む際に、十字キー１４の機能を視度調節用から元の機能に戻す。すなわち、このステップＳ１０８における決定スイッチ１５およびステップＳ１１９におけるメニュースイッチ１２は、十字キー１４という操作部材の機能を視度調節用の操作部材としての機能から元の操作部材としての機能へと切換える機能切換部材としての機能を果たすものである。
【００４１】
ステップＳ１０９において、ＣＰＵ１６は視度値ｘを変更操作後の値に決定してステップＳ１１０へ進む。ステップＳ１１０において、ＣＰＵ１６は現在設定されている視度値、あるいは図５のステップＳ１３３で設定された視度値から新視度値（ステップＳ１０９で決定された視度）への調整量を演算してステップＳ１１１へ進む。ステップＳ１１１において、ＣＰＵ１６は上記演算後の調整量に対応させて焦点距離を変更するように可変焦点部材３１０に対する印加電圧を決定し、ステップＳ１１２へ進む。
【００４２】
ステップＳ１１２において、ＣＰＵ１６は電源部５０１へ指示を送り、可変焦点部材３１０に対して上記決定後の電圧を印加させてステップＳ１１３へ進む。これにより、観察光学系３００の視度が入力操作後の新しい視度に調整される。ステップＳ１１３において、ＣＰＵ１６は、図１３に例示した視度確認メッセージを表示部９に表示させてステップＳ１１４へ進む。ユーザは、ファインダー接眼窓１０から被写体像を観察し、観察光学系３００の焦点位置に配設されている視野枠３０４、および上記焦点位置に記されているフォーカスエリアマーク１７１がはっきり見えるかどうかを確認する。図１７は、観察像を例示する図である。なお、この時（少なくともステップＳ１１３からステップＳ１１４での判断がなされるまで）に視度枠３０４やフォーカスエリアマーク１７１をＬＥＤ等を用いてハイライト表示しておくようにしてもよい。
【００４３】
ステップＳ１１４において、ＣＰＵ１６は視度変更指示されたか否かを判定する。ＣＰＵ１６は、十字キー１４および決定スイッチ１５から「Ｎｏ」を選ぶ操作信号が入力された場合にステップＳ１１４を否定判定してステップＳ１１５へ進む。ＣＰＵ１６は、十字キー１４および決定スイッチ１５から「Ｙｅｓ」を選ぶ操作信号が入力された場合にはステップＳ１１４を肯定判定し、ステップＳ１０２へ戻る。ステップＳ１０２へ戻る場合のＣＰＵ１６は、ステップＳ１０２〜ステップＳ１１４の処理を繰り返す。
【００４４】
ステップＳ１１５において、ＣＰＵ１６は、図１４に例示した視度保存メッセージを表示部９に表示させてステップＳ１１６へ進む。ステップＳ１１６において、ＣＰＵ１６は視度情報の保存指示がなされたか否かを判定する。ＣＰＵ１６は、十字キー１４および決定スイッチ１５から「Ｙｅｓ」を選ぶ操作信号が入力された場合にステップＳ１１６を肯定判定してステップＳ１１７へ進む。ＣＰＵ１６は、十字キー１４および決定スイッチ１５から「Ｎｏ」を選ぶ操作信号が入力された場合にはステップＳ１１６を否定判定し、ステップＳ１１９へ進む。ステップＳ１１９へ進む場合、メニュースイッチ１２の押下操作を示す操作信号（終了指示を示す信号）が入力されると図６による処理を終了する。
【００４５】
ステップＳ１１７において、ＣＰＵ１６は設定値を保存登録してステップＳ１１８へ進む。具体的には、視度情報（ｘ）、その視度値に設定するための印加電圧情報（Ｖ）および温度情報（ｔ）をＣＰＵ１６内の不揮発性メモリ（不図示）へそれぞれ記憶させる。なお、ここでいう視度情報には、視度値（ｘ）のみでなく、視力値ｙや年齢なども含まれる。ステップＳ１１８において、ＣＰＵ１６は図１５に例示する登録確認メッセージを表示部９に表示させてステップＳ１１９へ進む。
【００４６】
ステップＳ１１９において、ＣＰＵ１６はセットアップメニュー表示の終了が指示されたか否かを判定する。ＣＰＵ１６は、決定スイッチ１５の押下操作を示す信号が入力された場合はステップＳ１１９を否定判定してステップＳ１０１へ戻る。ＣＰＵ１６は、メニュースイッチ１２の押下操作を示す信号が入力された場合にはステップＳ１１９を肯定判定し、図６による処理を終了する。
【００４７】
＜視度測定処理＞
図７は、図６のステップＳ１０６における視度測定処理の詳細を説明するフローチャートである。前述のごとく、図６のステップＳ１０３Ａが肯定判定されると図７の「視度測定」のモードへ移行する。つまり、「視度測定」を選択し、決定するための十字キー１４および決定スイッチ１５は、カメラのモードを「視度測定」というモードへ切換設定する操作部材としての機能を果たすものである。図７のステップＳ１５１において、まずＣＰＵ１６は、上述の十字キー１４および決定スイッチ１５による「視度測定」モードへのモード切換操作に応じて、十字キー１４の機能を視度調節用に切替えて（すなわち、十字キー１４の操作に応じて視度調節ができるようにして）ステップＳ１５２へ進む。ステップＳ１５２において、ＣＰＵ１６は、図１６に例示する視度調整画面を表示部９に表示させてステップＳ１５３へ進む。図１６において、観察光学系３００に設定されている現在の視度値が表示される。
【００４８】
ステップＳ１５３において、ＣＰＵ１６は、視度調整操作されたか否かを判定する。ＣＰＵ１６は、図１６の例示画面を表示部９に表示させた状態で十字キー１４から操作信号が入力されるとステップＳ１５３を肯定判定する。この場合のＣＰＵ１６は、十字キー１４から上向き操作信号が入力された場合に視度値を負方向へ変化させ、十字キー１４から下向き操作信号が入力された場合には視度値を正方向へ変化させる。一方、ＣＰＵ１６は、十字キー１４から操作信号が入力されない場合にはステップＳ１５３を否定判定し、ステップＳ１５８へ進む。
【００４９】
ユーザは、ファインダー接眼窓１０から被写体像を観察しながら、図１７に示す通り、観察光学系３００の焦点位置に配設されている視野枠３０４、および上記焦点位置に記されているフォーカスエリアマーク１７１がはっきり見えるように十字キー１４を操作する。この時、前述のように視野枠３０４やフォーカスエリアマーク１７１を、たとえばＬＥＤなどを用いてハイライト表示するようにしてもよい。
【００５０】
視度測定処理では、視度調整操作されるごとに観察光学系３００の視度を変更する点がステップＳ１０４（視度入力処理）およびステップＳ１０５（視度かんたん入力処理）と異なる。ステップＳ１５４において、ＣＰＵ１６は調整操作後の視度値へ変更してステップＳ１５５へ進む。ステップＳ１５５において、ＣＰＵ１６は変更前の視度値から変更後の視度値への調整量を演算してステップＳ１５６へ進む。ステップＳ１５６において、ＣＰＵ１６はステップＳ１５５で演算した調整量に対応させて焦点距離を変更するように可変焦点部材３１０に対する印加電圧を決定し、ステップＳ１５７へ進む。
【００５１】
ステップＳ１５７において、ＣＰＵ１６は電源部５０１へ指示を送り、可変焦点部材３１０に対して上記決定後の電圧を印加させてステップＳ１５８へ進む。これにより、観察光学系３００の視度が調整操作後の新しい視度に調整される。
【００５２】
ステップＳ１５８において、ＣＰＵ１６は視度決定が指示されたか否かを判定する。ＣＰＵ１６は、決定スイッチ１５の押下操作を示す信号が入力された場合にステップＳ１５８を肯定判定してステップＳ１５９へ進む。ＣＰＵ１６は、決定スイッチ１５の押下操作を示す信号が入力されない場合にはステップＳ１５８を否定判定してステップＳ１５３へ戻る。ステップＳ１５３へ戻る場合のＣＰＵ１６は、視度調整時の処理を継続する。ステップＳ１５９において、ＣＰＵ１６は、十字キー１４の機能を元に戻して図７による処理を終了する。すなわち、このステップＳ１５９における決定スイッチ１５は、十字キー１４という操作部材の機能を、視度調節用の操作部材という機能から、別の（元の）操作部材としての機能へと切換えるものである。
【００５３】
＜温度フィードバック処理＞
図８は、図４のステップＳ２３における温度フィードバック処理の詳細を説明するフローチャートである。図８のステップＳ２３１において、ＣＰＵ１６は所定間隔で可変焦点部材３１０の温度計測を行う。具体的には、たとえば５分間隔で温度センサ３１１から温度検出信号を入力し、直近の検出信号を採用してステップＳ２３２へ進む。
【００５４】
ステップＳ２３２において、ＣＰＵ１６は観察光学系３００に設定されている視度を維持するように可変焦点部材３１０に対する印加電圧を決定する。具体的には、ステップＳ２３１で計測した温度情報と初期設定時の温度情報とに所定値（たとえば５℃）以上の温度差がある場合、この温度差によって生じる可変焦点部材３１０の焦点距離の変動を抑制するように可変焦点部材３１０へ印加中の電圧値を増減する。温度変動に起因する焦点距離ずれの補償方法は、上述した初期設定処理の場合と同様の演算を再度行うことにより、温度に適した印加電圧を再度算出するものである。具体的には、上記ステップＳ１３５で使用した式（１）に、ステップＳ２３１で計測した温度を代入することにより、電圧値Ｖ［Ｖ］を算出する。
【００５５】
ステップＳ２３３において、ＣＰＵ１６は電源部５０１へ指示を送り、可変焦点部材３１０への電圧値を指示してステップＳ２３４へ進む。ステップＳ２３４において、ＣＰＵ１６は、視度情報（ｘ）、電圧情報（Ｖ）および温度情報（ｔ）をＣＰＵ１６内の不揮発性メモリ（不図示）へそれぞれ記憶させて図８による処理を終了する。ＣＰＵ１６は、ファインダー視度設定が行われずに可変焦点部材３１０へ印加する電圧を維持している場合でも、温度変動に応じて印加電圧を微調整する。
【００５６】
以上説明した第一の実施形態によれば、次の作用効果が得られる。
（１）電子カメラの撮影機能や撮影条件を設定／変更する場合（ステップＳ１０１を否定判定）と、当該カメラのファインダー（観察光学系３００）の視度を調節する場合（ステップＳ１０１を肯定判定）とでモードを切替えを行うとともに、両モードで十字キー１４を兼用するようにした。両モードを分けたことにより、撮影機能や撮影条件の設定／変更する場合には、十字キー１４が操作されてもファインダー視度の変化を防止できる。さらに、十字キー１４を兼用したことにより、視度調節専用の操作部材を不要にできる。
【００５７】
（２）印加電圧に応じて焦点距離を変える可変焦点部材３１０（液体レンズ）を観察光学系３００に備え、ファインダー（観察光学系３００）の視度を調節する場合に可変焦点部材３１０に印加する電圧を変化させ、ファインダー（観察光学系３００）視度を調節しない場合には可変焦点部材３１０に印加する電圧を維持するようにした。可変焦点部材３１０を有することで、視度調節用のレンズを進退移動させる機構を不要にできる。さらに、可変焦点部材３１０に印加する電圧を維持することで、ファインダー視度の変化を防止できる。
【００５８】
（３）視度情報をＣＰＵ１６内の不揮発性メモリ（不図示）へ記憶しておき、記憶内容に基づいてファインダー（観察光学系３００）視度を調節するようにした。これにより、電子カメラを使用するたびに視度調整を行わくても、ユーザに合ったファインダー視度を再現することができる。
【００５９】
（４）初期設定処理において、上記記憶内容に基づいてファインダー（観察光学系３００）視度を調節するようにしたので、電子カメラを起動するごとに自動的にファインダー視度を再現することができる。
【００６０】
（５）可変焦点部材３１０（液体レンズ）の温度情報を検出し、この温度情報を用いて可変焦点部材３１０に印加する電圧を増減するようにした。これにより、液体レンズのパワーが温度依存性を有する場合には検出温度に応じてパワーを補正し、電子カメラを使用する温度にかかわらず、ファインダー視度の変動を抑えることができる。
【００６１】
（６）ＣＰＵ１６内の不揮発性メモリ（不図示）へ記憶する視度情報として視度値ｘまたは印加電圧値Ｖを含めるようにしたので、記憶内容に基づいてファインダー（観察光学系３００）の視度を調節できる（ステップＳ１０４で「視度入力」した場合）。
【００６２】
（７）ＣＰＵ１６内の不揮発性メモリ（不図示）へ記憶する視度情報としてユーザの視力値ｙおよび年齢を含めるようにしたので、記憶内容に基づいてファインダー（観察光学系３００）の視度を調節できる（ステップＳ１０５で「視度かんたん入力」した場合）。
【００６３】
（８）視力値から視度値を算出する際に年齢を加味するようにしたので、加齢による影響を考慮して視度値ｘを求めることができる（「視度かんたん入力」の場合）。
【００６４】
（９）ＣＰＵ１６内の不揮発性メモリ（不図示）へ記憶する情報として温度情報を含めるようにしたので、情報記憶時と異なる温度環境においても、情報記憶時と同じファインダー（観察光学系３００）の視度を再現できる。
【００６５】
（１０）観察光学系３００の焦点位置に視野枠３０４や、視標としてフォーカスエリアマーク１７１をそれぞれ設けたので、被写体のコントラストが低い場合やピントが合っていない状態でも視度調節結果を確認しやすい。
【００６６】
（１１）電子カメラのファインダー（観察光学系３００）の視度を調節するモードを、セットアップメニューの項目「ファインダー視度設定」に含めた。カメラのメニュー操作は、表示部９に表示するメニュー画面を見ながら十字キー１４などを操作するだけなので、ユーザはファインダーを覗かなくても視度調節操作を行うことができる。
【００６７】
（１２）ファインダー（観察光学系３００）に調節される視度に関する情報を表示部９に表示したので、ユーザは、ファインダーを覗かなくても調節される視度についての情報を得ることができる（ステップＳ１０４、ステップＳ１０５）。
【００６８】
（１３）視度に関する情報として視度値、対応する視力値などを表示したので、表示部９から具体的に視度状態を知ることができる。
【００６９】
（１４）視度調節を実行する前に上記視度に関する情報を表示部９へ表示したので（ステップＳ１０４、ステップＳ１０５）、観察光学系３００に設定する視度値などを事前に知ることができる。
【００７０】
（１５）視度調節を実行した後に上記視度に関する情報を表示部９へ表示したので（ステップＳ１０６）、観察光学系３００に実際に設定された現在の視度値などを知ることができる。
【００７１】
（第二の実施形態）
電子カメラを使用するユーザに対応させて視度情報を記憶するように構成してもよい。図１８は、第二の実施形態のメニュー画面を例示する図であり、図１０のメニュー画面に代えて用いられる。ＣＰＵ１６は、図１８に例示するメニュー画面を表示部９に表示させた状態で「登録済みの視度から選択」を指示する操作信号が十字キー１４および決定スイッチ１５から入力されると、図１９に例示する視度選択処理を起動させる。
【００７２】
図１９は、ＣＰＵ１６が実行する視度選択処理の流れを説明するフローチャートである。この図１９のフローチャートは、図６のステップＳ１０２以降の処理に代えて、ステップＳ１０１の後につなげられるものである。図１９のステップＳ２０１において、ＣＰＵ１６は、撮影者（ユーザ）選択を促すメッセージ、たとえば「次に示すユーザーの中から該当するものを選択してください。」等を表示部９に表示させてステップＳ２０２へ進む。
【００７３】
ステップＳ２０２において、ＣＰＵ１６は、撮影者選択操作が行われたか否かを判定する。ＣＰＵ１６は、図２０に例示する視度選択画面を表示部９に表示させた状態で、撮影者選択を指示する操作信号が十字キー１４および決定スイッチ１５から入力されるとステップＳ２０２を肯定判定してステップＳ２０３へ進む。ＣＰＵ１６は、撮影者選択を指示する操作信号が入力されない場合にはステップＳ２０２を否定判定し、当該判定処理を繰り返す。なお、ＣＰＵ１６は、メニュースイッチ１２の押下操作を示す操作信号が入力された場合にも図１９による処理を終了して図４のステップＳ２３へ進む。
【００７４】
ステップＳ２０３において、ＣＰＵ１６は、撮影者に対応づけて記憶している登録情報（本例では年齢、視度情報（ｘ）、電圧情報（Ｖ）および温度情報（ｔ））を、ＣＰＵ１６内の不揮発性メモリ（不図示）から読出してステップＳ２０３Ａへ進む。ステップＳ２０３Ａにおいて、ＣＰＵ１６は可変焦点部材３１０の温度計測を行い、ステップＳ２０４へ進む。
【００７５】
ステップＳ２０４において、ＣＰＵ１６は、上記ステップで読出した視度値ｘとステップＳ２０３Ａで測定した温度ｔに応じた焦点距離を再現するように可変焦点部材３１０に対する印加電圧を決定する。具体的には、ステップＳ２０３Ａで読出した温度情報と、初期設定時（ステップＳ１３４）で計測した温度情報あるいはステップＳ２０３で読み出した温度情報とに温度差がある場合、この温度差によって生じる可変焦点部材３１０の焦点距離の変動を抑制するように上記ステップで読出した電圧値を増減する（この手法については上述のステップＳ２３２と同様である）。
【００７６】
ステップＳ２０５において、ＣＰＵ１６は電源部５０１へ指示を送り、可変焦点部材３１０へ電圧を印加させてステップＳ２０６へ進む。ステップＳ２０６において、ＣＰＵ１６は、たとえば図１３に示したような視度確認メッセージを表示部９に表示させてステップＳ２０７へ進む。ユーザは、ファインダー接眼窓１０から被写体像を観察し、観察光学系３００の焦点位置に配設されている視野枠３０４、および上記焦点位置に記されているフォーカスエリアマーク１７１がはっきり見えるかどうかを確認する。この時に、上述の実施形態と同様に、視野枠３０４やフォーカスエリアマーク１７１をＬＥＤ等でハイライト表示してもよい。この場合の観察像は、図１７に例示した場合と同様である。
【００７７】
ステップＳ２０７において、ＣＰＵ１６は視度変更の指示がなされたか否かを判定する。ＣＰＵ１６は、視度測定を指示する操作信号が十字キー１４および決定スイッチ１５から入力された場合（具体的には、表示部９に図１８の表示をさせた状態で、十字キー１４および決定スイッチ１５により「視度設定」が選択操作された場合）にステップＳ２０７を肯定判定してステップＳ２０８へ進む。ＣＰＵ１６は、視度測定を指示する操作信号が入力されない場合にはステップＳ２０７を否定判定し、ステップＳ２１５へ進む。
【００７８】
ステップＳ２１５において、ＣＰＵ１６は処理終了が指示されたか否かを判定する。ＣＰＵ１６は、決定スイッチ１５の押下操作を示す信号が入力された場合はステップＳ２１５を否定判定して図６のステップＳ１０１へ戻る。ＣＰＵ１６は、メニュースイッチ１２の押下操作を示す信号が入力された場合にはステップＳ２１５を肯定判定し、図１９による処理を終了して図４のステップＳ２３へ進む。
【００７９】
ステップＳ２０７を否定判定して進むステップＳ２０８において、ＣＰＵ１６は視度測定処理を行ってステップＳ２０９へ進む。視度測定処理は、上述した（図７）処理と同様なので説明を省略する。ステップＳ２０９において、ＣＰＵ１６は、図１４に例示した視度保存メッセージを表示部９に表示させてステップＳ２１０へ進む。ステップＳ２１０において、ＣＰＵ１６は視度の保存指示がなされたか否かを判定する。ＣＰＵ１６は、十字キー１４および決定スイッチ１５から「Ｙｅｓ」を選ぶ操作信号が入力された場合にステップＳ２１０を肯定判定してステップＳ２１１へ進む。ＣＰＵ１６は、十字キー１４から「Ｎｏ」を選ぶ操作信号が入力された場合にはステップＳ２１０を否定判定し、ステップＳ２１５へ進む。
【００８０】
ステップＳ２１１において、ＣＰＵ１６は、撮影者（ユーザ）選択を促すメッセージを表示部９に表示させる。図２１は、撮影者の年齢選択を促す画面を例示する図である。ＣＰＵ１６は、年齢選択画面を表示部９に表示させた状態で、年齢選択を指示する操作信号が十字キー１４および決定スイッチ１５から入力されると、年齢選択画面に代えて図２２に例示する撮影者選択画面を表示部９に表示させてステップＳ２１２へ進む。撮影者選択画面の中で表示する視力値（図２２において「近視１．０相当」）は、測定した視度値ｘおよび上記選択された年齢を上式（６）〜（９）へ代入して算出したものである。なお、図２２において、「撮影者１」、「撮影者２」…と表示されている表示内容は、使用者によって適宜変更できるようにしておいてもよい（たとえば、個人名やニックネーム、あるいは俗称などで表示したり、個人を特定できる記号等を使って表示するようにしてもよい）。
【００８１】
ステップＳ２１２において、ＣＰＵ１６は、撮影者選択操作が行われたか否かを判定する。ＣＰＵ１６は、撮影者選択画面を表示部９に表示させた状態で、撮影者選択を指示する操作信号が十字キー１４および決定スイッチ１５から入力されるとステップＳ２１２を肯定判定してステップＳ２１３へ進む。ＣＰＵ１６は、撮影者選択を指示する操作信号が入力されない場合にはステップＳ２１２を否定判定し、当該判定処理を繰り返す。なお、ＣＰＵ１６は、この時にメニュースイッチ１２の押下操作を示す操作信号が入力されると、割り込み処理して図１９による処理を終了し、図４のステップＳ２３へ進む。
【００８２】
ステップＳ２１３において、ＣＰＵ１６は設定値を撮影者に対応づけて登録してステップＳ２１４へ進む。具体的には、年齢、視度情報（ｘ）、電圧情報（Ｖ）および温度情報（ｔ）をＣＰＵ１６内の不揮発性メモリ（不図示）へそれぞれ記憶させる。この場合の視度情報には、上述の如く、視度値のみならず視力値、年齢などが含まれる。ステップＳ２１４において、ＣＰＵ１６は図２３に例示する登録確認メッセージを表示部９に表示させてステップＳ２１５へ進む。
【００８３】
以上説明した第二の実施形態によれば、次の作用効果が得られる。
（１）電子カメラは、視度情報をＣＰＵ１６内の不揮発性メモリ（不図示）へ記憶する際に、複数の視度情報を保存可能にした。これにより、複数のユーザが同一の電子カメラを使用する場合には、ユーザごとに視度情報を記憶させることができる。
【００８４】
（２）電子カメラのファインダー（観察光学系３００）の視度を調節する場合、上記記憶した複数の視度情報を表示部９に表示させ、これら視度情報の中から十字キー１４および決定スイッチ１５により選択決定された信号が示す視度情報の記憶内容に基づいてファインダー（観察光学系３００）の視度を調節するようにした。これにより、ユーザごとに最適なファインダー視度を再現することができる。
【００８５】
（３）ユーザごとにファインダー視度を再現するモードを、セットアップメニューの項目「ファインダー視度設定」−「登録済みの視度から選択」に含めた。カメラのメニュー操作は、表示部９に表示するメニュー画面を見ながら十字キー１４などを操作するだけなので、ユーザはファインダーを覗かなくても各自に適した視度調節を行うことができる。
【００８６】
（第三の実施形態）
上述した視度測定処理では、指示（操作）に応じてその都度可変焦点部材３１０の焦点距離を変化させる例を説明した。この代わりに、一度の指示（操作）で電子カメラが可変焦点部材３１０の焦点距離を自動的に連続変化させ、その後で決定操作・指示された時点でその焦点距離の自動変化を止めるように構成してもよい。ユーザは、ファインダー接眼窓１０から被写体像を観察しながら、観察光学系３００の焦点位置に配設されている視野枠３０４、および上記焦点位置に記されているフォーカスエリアマーク１７１がはっきり見える時点で、決定スイッチ１５を操作する。なお、この決定スイッチ１５の代わりに、たとえばレリーズスイッチ３を操作することによって可変焦点部材３１０の連続的な移動を停止するようにしてもよい。この場合には、上述の「視度測定」モードへの切換設定に応じて、レリーズスイッチ３の機能が通常のレリーズ操作部材としての機能から視度決定用の操作部材としての機能へ、ＣＰＵ１６によって切換えられていることになる。
【００８７】
＜視度測定処理２＞
図２４は、視度測定処理２の詳細を説明するフローチャートである。ＣＰＵ１６は、図７による処理に代えて図２４による処理を実行する。図２４のステップＳ２５１において、ＣＰＵ１６は、上述した十字キー１４および決定スイッチ１５の操作による「視度測定」モードへの切換設定に応じて、レリーズスイッチ３の機能を撮影のためのレリーズ操作部材としての機能から、視度調節用の操作部材としての機能へ切替えてステップＳ２５２へ進む。ステップＳ２５２において、ＣＰＵ１６は、図２５に例示する視度調整画面を表示部９に表示させてステップＳ２５３へ進む。
【００８８】
ステップＳ２５３において、ＣＰＵ１６は、視度値を＋３．０ｍ−１にリセットしてステップＳ２５４へ進む。視度値＋３．０ｍ−１は、可変焦点部材３１０の焦点距離調節範囲の正屈折力側の制御限界に対応する。ステップＳ２５４において、ＣＰＵ１６は、視度値ｘ＝＋３．０ｍ−１に応じた焦点距離を設定するように可変焦点部材３１０に対する印加電圧を決定する。
【００８９】
ステップＳ２５５において、ＣＰＵ１６は電源部５０１へ指示を送り、可変焦点部材３１０へ電圧を印加させてステップＳ２５６へ進む。ステップＳ２５６において、ＣＰＵ１６は開始操作されたか否かを判定する。ＣＰＵ１６は、レリーズスイッチ３の押下操作を示す信号が入力された場合にステップＳ２５６を肯定判定してステップＳ２５７へ進む。ＣＰＵ１６は、所定時間が経過してもレリーズスイッチ３から押下操作信号が入力されない場合にはステップＳ２５６を否定判定し、ステップＳ２６４へ進む。
【００９０】
ステップＳ２５７において、ＣＰＵ１６は電源部５０１へ指示を送り、可変焦点部材３１０へ印加する電圧の掃引を開始させる。これによって電源部５０１は、視度値ｘ＝＋３．０ｍ−１に応じた焦点距離から視度値ｘ＝−３．０ｍ−１に応じた焦点距離へ可変焦点部材３１０の焦点距離を徐々に変化させるように、可変焦点部材３１０へ印加する電圧を徐々に変化させる。視度値−３．０ｍ−１は、可変焦点部材３１０の焦点距離調節範囲の負屈折力側の制御限界に対応する。なお、掃引の際は電圧を連続的に変化させてもよいし、所定ステップで段階的に変化させてもよい。
【００９１】
ユーザは、ファインダー接眼窓１０から被写体像を観察し、観察光学系３００の焦点位置に配設されている視野枠３０４、および上記焦点位置に記されているフォーカスエリアマーク１７１がはっきり見えるかどうかを確認する。この場合にこれらをハイライト表示してもよいのは前述した場合と同様である。また、この場合の観察像は、図１７に例示した場合と同様である。
【００９２】
ステップＳ２５８において、ＣＰＵ１６は停止操作されたか否かを判定する。ＣＰＵ１６は、レリーズスイッチ３の押下操作を示す信号が入力された場合にステップＳ２５８を肯定判定してステップＳ２５９へ進む。ＣＰＵ１６は、レリーズスイッチ３から押下操作信号が入力されない場合にはステップＳ２５８を否定判定し、ステップＳ２６０へ進む。
【００９３】
ステップＳ２５９において、ＣＰＵ１６は電源部５０１へ指示を送り、可変焦点部材３１０へ印加する電圧掃引を停止させて、その後で後述のステップＳ２６３Ａの決定判定を経てステップＳ２６４へ進む。ステップＳ２６０において、ＣＰＵ１６は視度値ｘ＝−３．０ｍ−１か否かを判定する。ＣＰＵ１６は、視度値ｘ＝−３．０ｍ−１に対応する電圧まで掃引した場合は掃引を停止し、ステップＳ２６０を肯定判定してステップＳ２６１へ進む。ＣＰＵ１６は、視度値ｘ＝−３．０ｍ−１に対応する電圧まで掃引していない場合には掃引を継続し、ステップＳ２６０を否定判定してステップＳ２５８へ戻る。
【００９４】
ステップＳ２６１において、ＣＰＵ１６は、視度値をリセット前の値へ戻してステップＳ２６２へ進む。ステップＳ２６２において、ＣＰＵ１６は、上記リセット前の視度値に応じた焦点距離を設定するように可変焦点部材３１０に対する印加電圧を決定する。
【００９５】
ステップＳ２６３において、ＣＰＵ１６は電源部５０１へ指示を送り、可変焦点部材３１０へ電圧を印加させてステップＳ２６３Ａへ進む。ステップＳ２６３Ａにおいて、この設定された状態で、決定してよい旨の指示操作が使用者によって行われたか否かを判定する。否定判定する場合はステップＳ２５２へ戻って上記処理を繰り返し、肯定判定する場合はステップＳ２６４へ進む。これにより、可変焦点部材３１０の焦点距離が視度測定２の処理を開始する前の状態へ戻る。ステップＳ２６４において、ＣＰＵ１６は、レリーズスイッチ３の機能を元に戻して図２４による処理を終了する。すなわち、レリーズスイッチ３の機能は、２回目のレリーズスイッチのオン操作がなされると、またはレンズの焦点距離が視度値ｘ＝＋３．０ｍ−１→−３．０ｍ−１まで１度走査されると、自動的に元の機能（撮影時に用いられるレリーズ操作部材としての機能）へ切換えられることになる。なお、図２４のフローチャートでは、視度値ｘが＋３．０ｍ−１→−３．０ｍ−１まで１度しか走査されない例を説明したが、一往復走査するようにしても、任意の回数の走査を行うようにしてもよい。
【００９６】
以上説明した第三の実施形態によれば、次の作用効果が得られる。
（１）視度測定２の処理において、１回目のレリーズスイッチ３の操作信号に応じて可変焦点部材３１０の焦点距離を正屈折力側の制御限界から負屈折力側の制御限界へ向けて自動的に徐々に変化させ、２回目のレリーズスイッチ３の操作信号に応じて、その時点の可変焦点部材３１０の焦点距離を維持させるようにした。ユーザは、ファインダー接眼窓１０から被写体像を観察しながらレリーズスイッチ３を操作するだけでよく、使い勝手のよい電子カメラが得られる。また、レリーズスイッチ３を視度測定の際に使用される操作部材と兼用としたので、省スペース化およびコストダウンが図れる。
【００９７】
（２）レリーズスイッチ３は、ユーザがファインダーを覗いた状態で操作しやすい位置に配設されているので、ユーザはファインダーから目を離すことなく操作できる。
【００９８】
（３）可変焦点部材３１０の焦点距離を正屈折力側の制御限界から負屈折力側の制御限界へ向けて変化させたので、ユーザの眼の疲労を軽減できる。一般に、人の眼は近距離側（正屈折方向）にピント調節しようとするため、可変焦点部材３１０の焦点距離を負屈折力側から変化させた場合には、人の眼が過剰にピント調節（正屈折する）してしまう結果、眼の疲労を招く。そこで、可変焦点部材３１０の焦点距離を正屈折力側から変化させると、上述した眼の疲労を抑えて正確に視度調節を行うことができる。
【００９９】
（第四の実施形態）
電子カメラを使用するユーザが外部機器から視度情報を取得するように構成してもよい。この場合の視度設定メニュー画面（図１８）には、不図示の項目「ユーザ認証設定」を含む。ＣＰＵ１６は、「ユーザ認証設定」を指示する操作信号が十字キー１４から入力されると、図２６に例示する視度設定処理を起動させる。
【０１００】
図２６は、ＣＰＵ１６が実行する視度設定処理の流れを説明するフローチャートである。図２６のステップＳ３０１において、ＣＰＵ１６は、撮影者（ユーザ）認証を行ってステップＳ３０２へ進む。認証は、たとえばカメラに入力されたパスワードをあらかじめＣＰＵ１６内の不揮発性メモリに登録されている認証情報と照合することによって行う。
【０１０１】
ステップＳ３０２において、ＣＰＵ１６は、外部データベース２５２（図３）へ前回アクセスしてから所定時間以上経過しているか否かの判定と、電子カメラの使用回数（たとえばレリーズ操作回数、および可変焦点部材３１０の駆動回数）が所定回数を超えたか否かの判定とを行う。ＣＰＵ１６は、両判定処理のうち少なくとも一方を肯定判定した場合にステップＳ３０２を肯定判定してステップＳ３０４へ進む。ＣＰＵ１６は、両判定処理をいずれも否定判定した場合はステップＳ３０２を否定判定し、ステップＳ３０３へ進む。
【０１０２】
ステップＳ３０３において、ＣＰＵ１６は認証ユーザの視度情報が内部メモリに登録されているか否かを判定する。ＣＰＵ１６は、内部メモリに視度情報が存在する場合にステップＳ３０３を肯定判定してステップＳ３１０へ進み、内部メモリに視度情報が存在しない場合にはステップＳ３０３を否定判定してステップＳ３０４へ進む。
【０１０３】
ステップＳ３０４において、ＣＰＵ１６は通信部２３へ指示を送り、アンテナ７を通して無線ＬＡＮアクセスポイント２０１との間で無線ＬＡＮ通信方式（たとえばIEEE 802.11bやIEEE 802.11g等）によって無線通信を開始する。この無線通信は、様々な無線ＬＡＮ機器間で互換性を補償するための国際標準規格であるWiFi（Wireless Fidelity）認証に対応するものでもよい。
【０１０４】
無線ＬＡＮアクセスポイント２０１は、通信部２３のアンテナ７から送信されたデータを中継してインターネット２１０に接続されている外部データサーバー２５１へ送信する一方、外部データサーバー２５１側からの送信データを中継して通信部７へ送信するように構成されている。これにより、電子カメラおよび外部データサーバー２５１間で通信が可能になる。
【０１０５】
ステップＳ３０５において、ＣＰＵ１６は、外部データサーバー２５１側へアクセスし、外部データベース２５２に登録されているユーザの視度情報を取得してステップＳ３０７へ進む。取得する視度情報は、あらかじめユーザ登録時にユーザ情報の一部として保存されたものであり、視度値ｘおよび温度ｔ（登録時の温度）を含む。なお、視度値ｘの代わりに視力値ｙおよび年齢を取得してもよい。
【０１０６】
ステップＳ３０７において、ＣＰＵ１６は、可変焦点部材３１０の温度計測のため、温度センサ３１１から温度検出信号を入力してステップＳ３０８へ進む。ステップＳ３０８において、ＣＰＵ１６は、ステップＳ３０６で取得した視度値ｘに応じた焦点距離を再現するように可変焦点部材３１０に対する印加電圧を決定する。具体的には、上述したステップＳ１３５と同様に、ステップＳ３０７で計測した温度ｔによって生じる可変焦点部材３１０の焦点距離の変動を抑制するように、上式（１）〜（５）を用いて可変焦点部材３１０へ印加する電圧値Ｖを算出する。この場合、各定数値情報は、カメラ側あるいは外部データサーバー２５１から取得する。なお、図５において説明したように、温度差Δｔを使って印加電圧を算出するようにしてもよい。
【０１０７】
ステップＳ３０９において、ＣＰＵ１６は電源部５０１へ指示を送り、可変焦点部材３１０へ電圧を印加させて図１９のステップＳ２０６へ進む。以降の処理は第二の実施形態で説明した内容と同様である。
【０１０８】
以上説明した第四の実施形態によれば、次の作用効果が得られる。
（１）電子カメラは、外部データベース２５２へ前回アクセスして所定時間以上が経過した場合、または当該カメラの使用回数が所定回数を超えた場合、あるいはカメラ内のメモリに視度情報が登録されていない場合には、外部データサーバー２５１側へアクセスし、外部データベース２５２に登録されているユーザの視度情報を取得する。そして、取得した内容に基づいてファインダー（観察光学系３００）視度を調節する。これにより、カメラ内に視度情報が保存されていない場合でも、カメラ外から視度情報を取得してファインダー視度を再現することができる。
【０１０９】
（２）カメラ外から視度情報を取得する条件を定めたので、常に外部データサーバー２５１側へアクセスする場合に比べて、ＣＰＵ１６の負担や消費電力を軽減できる。さらに、上記取得条件に可変焦点部材３１０の駆動回数を含めたので、液体レンズのパワーが駆動回数に依存する場合には、駆動回数に応じてパワーを補正し、ファインダー視度の変動を抑えることができる。
【０１１０】
（３）電子カメラは可変焦点部材３１０（液体レンズ）の温度情報を検出し、この温度情報に基づいて液体レンズへの印加電圧を決定するので、温度を鑑みて最適な印加電圧を与えることができる。なお、この温度情報が上記外部機器から取得した温度情報と異なる場合（所定値以上の差がある場合）には、この温度差によって生じる可変焦点部材３１０の焦点距離の変動を抑制するように視度情報を加工（本例では電圧値を増減）してもよい。具体的には、上述のステップＳ２３２において既述した方法で電圧値を再度算出すればよい。これにより、電子カメラを使用する温度にかかわらず、ファインダー視度の変動を抑えることができる。
【０１１１】
（第五の実施形態）
電子カメラは、ファームウェアバージョンを変更するためのバージョンアップモードを備える。図２７は、ＣＰＵ１６が実行するバージョンアップ処理の流れを説明するフローチャートである。図２７の処理は、ステップＳ１０７（図６）における他の処理の一態様として行われる。具体的には、図９に例示するメニュー画面を表示部９に表示させた状態で「バージョンアップ設定」を指示する操作信号が十字キー１４および決定スイッチ１５から入力されると、ＣＰＵ１６は図２７に示す処理を起動する。
【０１１２】
図２７のステップＳ３５１において、ＣＰＵ１６は、バージョンアップモードか否かを判定する。ＣＰＵ１６は、バージョンアップモードがオン設定されるとステップＳ３５１を肯定判定してステップＳ３５２へ進む。ＣＰＵ１６は、バージョンアップモードがオフ設定されるとステップＳ３５１を否定判定してステップＳ３６３へ進む。ステップＳ３６３へ進んだＣＰＵ１６は、バージョンアップモード以外の他の設定処理を行って図２７による処理を終了する。
【０１１３】
ステップＳ３５２において、ＣＰＵ１６は外部機器と通信するために通信部２３を起動してステッフ゜Ｓ３５３へ進む。ステップＳ３５３において、ＣＰＵ１６は、通信部２３へ指示を送り、無線ＬＡＮアクセスポイント２０１を経由して外部データサーバー２５１（外部データベース２５２）との間で、カメラ自身の持っている固有の情報（シリアルナンバーなど）や、そのカメラの正規の所有者として予め登録されている所有者情報などに基づいて、接続認証を行ってステップＳ３５４へ進む。
【０１１４】
ステップＳ３５４において、ＣＰＵ１６は認証可否を判定する。ＣＰＵ１６は、認証可能の場合にステップＳ３５４を肯定判定してステップＳ３５５へ進み、認証されなかった場合にはステップＳ３５４を否定判定してステップＳ３６２へ進む。ステップＳ３６２へ進んだＣＰＵ１６は、バージョンアップが不可能であることを示す表示を表示部９に表示させて図２７による処理を終了する。
【０１１５】
ステップＳ３５５において、ＣＰＵ１６は、電子カメラの現在のファームウエアのバージョンを示す情報を外部データサーバー２５１（外部データベース２５２）へ送信してステップＳ３５６へ進む。ステップＳ３５６において、ＣＰＵ１６は外部データベース２５２に新しいバージョンのファームウエアがあるか否かを判定する。ＣＰＵ１６は、外部データサーバー２５１から新ファームありを示す情報を受信するとステップＳ３５６を肯定判定してステップＳ３５８へ進み、新ファームありを示す信号を受信しない場合にはステップＳ３５６を否定判定してステップＳ３５７へ進む。
【０１１６】
ステップＳ３５７において、ＣＰＵ１６は、電子カメラの製造番号情報、およびシャッターレリーズ操作回数を示す情報を外部データサーバー２５１（外部データベース２５２）へ送信してステップＳ３５９へ進む。ここで、電子カメラはＣＰＵ１６内の不揮発性メモリにレリーズスイッチ３の操作回数の積算値を保存するように構成されている。一方外部データベース２５２には、電子カメラの経年時間（当該カメラ製造後の経過時間）およびレリーズ積算値に応じた補正情報（後述）が格納されている。外部データサーバー２５１は、製造番号情報から当該電子カメラの製造日を割り出して経年時間を求め、経年時間およびレリーズ積算値に対応する補正情報を外部データベース２５２から読出す。
【０１１７】
ステップＳ３５９において、ＣＰＵ１６は上記補正情報を外部データサーバー２５１（外部データベース２５２）から取得し、ＣＰＵ１６内の不揮発性メモリに記憶してステップＳ３６１へ進む。ここで補正情報とは、たとえば上式（１）〜（５）において使用する係数ａ０、ａ１、ｂ０、ｂ１、ａ０'、ａ１'、ｂ０'、およびｂ１'である。これにより、次回起動時以降に可変焦点部材３１０へ印加する電圧値を補正する場合は、新しく取得した係数を用いて電圧値を算出する。
【０１１８】
ステップＳ３５８において、ＣＰＵ１６は、電子カメラの製造番号情報、およびシャッターレリーズ回数を示す情報を外部データサーバー２５１（外部データベース２５２）へ送信してステップＳ３６０へ進む。外部データサーバー２５１は、製造番号情報から当該電子カメラの製造日を割り出して経年時間を求め、経年時間およびレリーズ積算値に対応する補正情報を外部データベース２５２から読出す。
【０１１９】
ステップＳ３６０において、ＣＰＵ１６は上記補正情報と、新しいバージョンのファームウエア情報をそれぞれ外部データサーバー２５１（外部データベース２５２）から取得し、ＣＰＵ１６内の不揮発性メモリに記憶してステップＳ３６１へ進む。これにより、次回起動時以降に可変焦点部材３１０へ印加する電圧値を補正する場合は、新しく取得したファームウエアにより、新しく取得した係数を用いて電圧値を算出する。
【０１２０】
ステップＳ３６１において、ＣＰＵ１６は、電源オフしてから再起動するように促すメッセージを表示部９に表示させて図２７による処理を終了する。
【０１２１】
以上説明した第五の実施形態によれば、次の作用効果が得られる。
（１）電子カメラは、経年時間およびレリーズ積算値に対応する補正情報を外部データサーバー２５１（外部データベース２５２）から取得し、ＣＰＵ１６内の不揮発性メモリに更新記憶する（ステップＳ３５９）。補正情報は、上式（１）〜（５）において使用する温度補正係数ａ０、ａ１、ｂ０、ｂ１、ａ０'、ａ１'、ｂ０'、およびｂ１'であるため、次回起動時以降に可変焦点部材３１０へ印加する電圧値を補正する場合は、新しく取得した温度補正係数を用いて電圧値を算出する。このように、経年変化によって生じる可変焦点部材３１０の焦点距離の変動を抑制するように視度情報を加工（本実施形態では更新した温度補正係数を用いる）することにより、電子カメラの経年時間にかかわらず、ファインダー視度の変動を抑えることができる。
【０１２２】
（２）電子カメラは、経年時間およびレリーズ積算値に対応する補正情報と、新しいバージョンのファームウエア情報とをそれぞれを外部データサーバー２５１（外部データベース２５２）から取得し、ＣＰＵ１６内の不揮発性メモリに更新記憶する（ステップＳ３６０）。このように、経年変化によって生じる可変焦点部材３１０の焦点距離の変動を抑制するように視度情報を加工（本実施形態では更新した温度補正係数を用いることに加え、さらにファームウエアも更新する）することにより、電子カメラの経年時間にかかわらず、ファインダー視度の変動を抑えることができる。
【０１２３】
（変形例１） 
上記第五の実施形態では、ＣＰＵ１６内の不揮発性メモリにレリーズ積算値を保存し、ステップＳ３５７およびステップＳ３５８において、電子カメラの製造番号情報とともにレリーズ積算値情報を外部データサーバー２５１（外部データベース２５２）へ送信した。しかしながら、レリーズ積算値情報を送信する代わりに、電源オン操作による起動回数の積算値情報を送信する構成にしてもよい。また、レリーズ積算値情報を送信する代わりに、可変焦点部材３１０を駆動する視度調整回数を積算した情報を用いてもよい。これらの場合には、データサーバー２５１（外部データベース２５２）側においても、電子カメラの経年時間および起動回数の積算値、または経年時間および視度調整の積算値に応じた補正情報を格納させておく。外部データサーバー２５１は、それぞれの場合に対応する補正情報を外部データベース２５２から読出し、電子カメラへ送信する。
【０１２４】
（変形例２）
以上の説明では、メニュー表示処理において十字キー１４からの操作信号に応じて項目の選択（変更）を行い、決定スイッチ１５からの操作信号を各種指示（決定、選択、終了など）として扱う例を説明した。この代わりに、ズームスイッチ１１からの操作信号に応じて項目の選択（変更）を行うようにしてもよい。十字キー１４、決定スイッチ１５およびズームスイッチ１１は、撮影モードにおいて撮影用の操作部材であるが、メニュー表示処理（とくにファインダー視度設定時）には視度調節用の操作部材となる。また、使用者の混乱を招かない範囲で、視度調節用の操作部材として兼用される操作部材が複数設定できるようにしてもよい（たとえば、十字キー１４とズームスイッチ１１の両方が、視度情報を増減する操作部材として機能するようにしてもよい）。なお、その場合には、１回の操作に伴う視度情報の変化量（増減させる量、ステップ）を、操作部材毎に異ならせておいてもよい（たとえば、視度値を入力する際に、ズームスイッチ１１は「０．２５ステップ／１操作」ずつ変化するのに対し、十字キー１４は「１．０ステップ／１操作」ずつ変化する）。また、撮影レンズが交換できるタイプのカメラ（図２８でも後述する）においては、カメラ本体に装着されている撮影レンズの操作環（ズーム環やピント調整環など）を、上述の視度調整用の操作部材（視度情報を入力する際の操作部材）として兼用できるようにしてもよい。
【０１２５】
（変形例３）
メニュー操作項目の選択や変更を音声命令に応じて行う構成にしてもよい。この場合のＣＰＵ１６は、マイク１８（図３）から入力された音声信号に音声認識処理を施し、所定の音声命令（たとえば、「上」、「下」、「左」、「右」）を認識する。ＣＰＵ１６は、メニュー表示処理において、認識した音声命令に応じて項目の選択（変更）を行い、レリーズスイッチ３からの操作信号を各種実行指示（決定、選択、終了など）として扱う。レリーズスイッチ３は、撮影モードにおいて撮影用の操作部材であるが、メニュー表示処理（とくにファインダー視度設定時）には視度調節を実行させるための操作部材として扱う。
【０１２６】
音声で命令することにより、十字キー１４からの「上」、「下」、「左」、「右」の操作を不要にできる。さらに、電子カメラの撮影機能や撮影条件を設定／変更する場合（ステップＳ１０１を否定判定）と、当該カメラのファインダー（観察光学系３００）視度を調節する場合（ステップＳ１０１を肯定判定）とでモード切替えを行うとともに、両モードでレリーズスイッチ３を互いに異なる機能の操作部材として兼用するようにした。両モードを分けたことにより、撮影機能や撮影条件の設定／変更する場合には、レリーズスイッチ３が操作されてもファインダー視度の変化を防止できる。
【０１２７】
レリーズスイッチ３は、ユーザがファインダー接眼窓１０を覗いている状態で操作しやすい位置に配設されている。ファインダーを覗きながら視度調節操作する場合には、レリーズスイッチ３を視度調節実行用の操作部材として扱うことは好適である。
【０１２８】
（変形例４）
ステップＳ２１２（図１９）における撮影者選択を音声認識処理を使って行う構成にしてもよい。この場合のＣＰＵ１６は、ステップＳ２１１において表示部９に行う年齢選択を促す表示を、図２１で例示した画面に代えて図３１に例示する画面のように表示する。ＣＰＵ１６は、マイク１８（図３）から入力された音声信号に音声認識処理を施し、登録者（ユーザー）の年齢（たとえば、「４」「３」）を認識する。ＣＰＵ１６は、認識結果に基づいて登録者年齢を「４０歳以上」とした上で、登録する名前の入力を促す表示を、図２２で例示した画面に代えて図３２に例示する画面のように表示する。ＣＰＵ１６は、マイク１８（図３）から入力された音声信号に音声認識処理を施し、登録する名前（たとえば、「た」、「な」、「か」）を認識する。ＣＰＵ１６は認識結果に基づいて「撮影者１」を「たなか」とし、ステップＳ２１３へ進んで設定値を「たなか」に対応づけて登録する。このようにすれば、「撮影者１、２…」として登録する場合よりユーザーにとってわかりやすくなる。
【０１２９】
（変形例５）
本発明は、一眼レフタイプの電子カメラにも適用できる。図２８は、一眼レフ電子カメラの要部構成を説明するブロック図である。図３と比べて、カメラ本体に撮影光学系４００Ｂが装着されている点、観察光学系３００Ｂを有する点、およびフレネルレンズ面を有する焦点板２５を有する点が異なる。
【０１３０】
図２８において、被写体からの光は撮影光学系４００Ｂを介してカメラ本体へ入射される。カメラ本体に入射した被写体光は、レリーズ前は実線で示すように位置するクイックリターンミラー（以下ミラーと呼ぶ）２７で上方へ導かれて焦点板２５に結像する。この像に重ねて視野枠およびフォーカスエリアマーク（視標）を観察できるように、視野枠および視標を表示する液晶表示器２６が配設されている。
【０１３１】
焦点板２５に結像した被写体光はさらに、ペンタプリズム３０５へ入射される。ペンタプリズム３０５は入射された被写体光を可変焦点部材３１０へ導く。可変焦点部材３１０は、給電部５０１から印加される電圧に応じて焦点距離を変え、観察光学系３００Ｂの視度を調節する。電子カメラのユーザは、ファインダー接眼窓１０を介して被写体を観察する。レリーズ後はミラー２７が破線で示される位置へ回動し、被写体光はシャッタ（不図示）を介して撮像素子４０１へ導かれ、その撮像面上に被写体像を結像する。
【０１３２】
変形例５の場合には、表示部９に表示していた情報（たとえば視度値や視力値等の視度に関する情報）を液晶表示器２６に表示させてもよい。この場合、液晶表示器２６に表示中の視野枠や視標と、視度に関する情報とを表示切替えさせてもよいし、視野枠や視標に重ねてメニュー画面等をスーパーインポーズ表示させてもよい。これにより、ユーザは、焦点板２５に結像した観察像とともに、視度に関する情報を得ることができる。
【０１３３】
（変形例６）
本発明は、電子ビューファインダーを有するカメラにも適用できる。図２９は、このタイプの電子カメラの要部構成を説明するブロック図である。図３と比べて、観察光学系３００Ｃがレンズ群３０１〜３０３の代わりに液晶表示器３０６を有する点が異なる。
【０１３４】
図２９において、液晶表示器３０６はカラー液晶表示パネルによって構成される。ＣＰＵ１６は、撮像素子４０１によって撮像されたモニタ画像を液晶表示器３０６に表示させる。可変焦点部材３１０は、液晶表示器３０６の表示画面を拡大するとともに、給電部５０１から印加される電圧に応じて焦点距離を変え、観察光学系３００Ｃの視度を調節する。電子カメラのユーザは、ファインダー接眼窓１０を介して拡大されたモニタ画像を観察する。
【０１３５】
変形例６の場合には、表示部９に表示していた情報（上述のような視度に関する情報等）を液晶表示器３０６に表示させてもよい。この場合、液晶表示器３０６に表示中のモニタ画像とメニュー画面等とを表示切替えさせてもよいし、モニタ画像に重ねてメニュー画面等をスーパーインポーズ表示させてもよい。
【０１３６】
（変形例７）
液体レンズの焦点距離を変化させる例として印加電圧を変化させる例を説明したが、液体レンズへ供給する電圧や液体レンズ周囲の磁界を変化させることによって焦点距離を変化させる場合にも本発明を適用してよい。また、液体レンズの液体に圧力を加えて液体レンズの焦点距離を変化させる場合には、当該圧力を圧電素子によって加える構成とすれば、上述した実施形態と同様に、印加電圧を変化させることによって液体レンズの焦点距離を変化させることができる。
【０１３７】
（変形例８）
液体レンズの環境情報として温度情報を検出する例を説明したが、たとえば圧力（気圧）や湿度などを検出するセンサを設け、これらの検出情報を用いて視度を補正するようにすることもできる。この場合には、上述した温度補正係数ａ０、ａ１、ｂ０、ｂ１、ａ０'、ａ１'、ｂ０'、およびｂ１'の代わりに、または上記温度補正係数に加えて、必要な環境補正係数を用いて視度を補正するとよい。たとえば上述の変形例７で示したような、液体に圧力を加えて液体レンズの焦点距離を変化させるタイプの可変焦点部材３１０を使用する場合には、液体レンズの環境情報として圧力（気圧）情報を用いることは、特に有用であると考えられる。
【０１３８】
（変形例９）
以上説明した視度調節用操作部材および撮影用操作部材を兼ねる点、観察光学系に調節される視度に関する情報を表示する点、および記憶手段に記憶されている視度情報をカメラの使用状況に応じて加工し、加工後の視度情報に基づいて視度調節を行う点は、それぞれ可変焦点部材３１０を用いずに、モータなどの駆動力を用いて視度調節用のレンズを進退移動させる機構を備える場合にも適用してよい。
【０１３９】
（変形例１０）
以上説明した実施形態では、カメラが無線通信によって視度に関する情報、視度情報、または視度情報の加工に必要な情報を取得する例を説明した。この代わりに、図３０に例示するように、コンピュータ装置２０２を経由する有線通信によってカメラ１が情報を取得する構成にしてもよい。このようにコンピュータ装置２０２からカメラ１へ情報を送信する場合には、コンピュータ装置２０２とカメラ１との間で通信を行う。
【０１４０】
コンピュータ装置２０２に対する各種情報の供給は、情報を格納したＣＤ−ＲＯＭなどの記録媒体２０４をコンピュータ装置２０２にセットして行ってもよいし、ネットワークなどの通信回線２１０を経由する方法でコンピュータ装置２０２へローディングしてもよい。通信回線２１０を経由する場合は、通信回線２１０に接続された外部データサーバー２５１のデータベース２５２などに提供情報を格納しておく。このように、視度に関する情報、視度情報、または視度情報の加工に必要な情報は、記録媒体２０４や通信回線２１０を介する提供など、種々の形態で供給することができる。
【０１４１】
電子カメラを例に説明したが、本発明はフィルムカメラにも適用することができる。また、観察光学系を備えた光学装置、たとえばヘッドマウントディスプレイなどの光学装置にも適用することができる。以上の説明はあくまで一例であり、上記の実施形態の構成に何ら限定されるものではない。
【図面の簡単な説明】
【０１４２】
【図１】本発明の第一の実施形態による電子カメラの正面図である。
【図２】図１の電子カメラの背面図である。
【図３】本発明の第一の実施形態による電子カメラの要部構成を説明するブロック図である。
【図４】ＣＰＵが実行するメイン処理の流れを説明するフローチャートである。
【図５】初期設定処理の詳細を説明するフローチャートである。
【図６】セットアップメニュー表示処理の詳細を説明するフローチャートである。
【図７】視度測定処理の詳細を説明するフローチャートである。
【図８】温度フィードバック処理の詳細を説明するフローチャートである。
【図９】メニュー画面を例示する図である。
【図１０】本発明の第一の実施形態によるメニュー画面を例示する図である。
【図１１】視度入力画面を例示する図である。
【図１２】視度かんたん入力画面を例示する図である。
【図１３】視度確認メッセージを例示する図である。
【図１４】視度保存メッセージを例示する図である。
【図１５】登録確認メッセージを例示する図である。
【図１６】視度調整画面を例示する図である。
【図１７】観察像を例示する図である。
【図１８】第二の実施形態のメニュー画面を例示する図である。
【図１９】視度選択処理の流れを説明するフローチャートである。
【図２０】視度選択画面を例示する図である。
【図２１】撮影者の年齢選択画面を例示する図である。
【図２２】撮影者選択画面を例示する図である。
【図２３】登録確認メッセージを例示する図である。
【図２４】本発明の第三の実施形態による視度測定２の処理の詳細を説明するフローチャートである。
【図２５】本発明の第三の実施形態による視度調整画面を例示する図である。
【図２６】本発明の第四の実施形態による視度設定処理の流れを説明するフローチャートである。
【図２７】バージョンアップ処理の流れを説明するフローチャートである。
【図２８】一眼レフ電子カメラの要部構成を説明するブロック図である。
【図２９】電子ビューファインダーを有する電子カメラの要部構成を説明するブロック図である。
【図３０】コンピュータ装置を説明する図である。
【図３１】年齢の入力を促す画面を例示する図である。
【図３２】名前の入力を促す画面を例示する図である。
【符号の説明】
【０１４３】
３…レリーズスイッチ
９…表示部
１１…ズームスイッチ
１２…メニュースイッチ
１４…十字キー
１５…決定スイッチ
１６…ＣＰＵ（不揮発性メモリ）
１８…マイク
２３…通信部
１７１…フォーカスエリアマーク
３００、３００Ｂ、３００Ｃ…観察光学系
３０６…液晶表示器
３１０…可変焦点部材（光学素子）
３１１…温度センサ
４００…撮影光学系
４０１…撮像素子
５０１…給電部
【図１】
2008164765.tif 000003
【図２】
2008164765.tif 000004
【図３】
2008164765.tif 000005
【図４】
2008164765.tif 000006
【図５】
2008164765.tif 000007
【図６】
2008164765.tif 000008
【図７】
2008164765.tif 000009
【図８】
2008164765.tif 000010
【図９】
2008164765.tif 000011
【図１０】
2008164765.tif 000012
【図１１】
2008164765.tif 000013
【図１２】
2008164765.tif 000014
【図１３】
2008164765.tif 000015
【図１４】
2008164765.tif 000016
【図１５】
2008164765.tif 000017
【図１６】
2008164765.tif 000018
【図１７】
2008164765.tif 000019
【図１８】
2008164765.tif 000020
【図１９】
2008164765.tif 000021
【図２０】
2008164765.tif 000022
【図２１】
2008164765.tif 000023
【図２２】
2008164765.tif 000024
【図２３】
2008164765.tif 000025
【図２４】
2008164765.tif 000026
【図２５】
2008164765.tif 000027
【図２６】
2008164765.tif 000028
【図２７】
2008164765.tif 000029
【図２８】
2008164765.tif 000030
【図２９】
2008164765.tif 000031
【図３０】
2008164765.tif 000032
【図３１】
2008164765.tif 000033
【図３２】
2008164765.tif 000034